(57)【要約】      （修正有）【課題】包装体は、縦型の形成、充填およびシール工程中における破れを避けるために増大した伸張強度を有し、包装体の外方縁および垂直シール部が、包装体を開封するための、容易に開始される引裂きの伝播による切り裂き領域を提供するアブレーション部を含むという高い可能性を提供する。【解決手段】縦型の形成、充填およびシール工程によって形成される包装体は、縦型スリーブを形成するためにシールされ縁部分を備えるウエブ材料を含む。包装体は、また、シールされた包装体を形成するために縦型スリーブのいずれかの端に第一シール端部および第二シール端部を含む。包装体は、約０．２５ｍｍないし約０．７５ｍｍの長さの非アブレーション部によって隔てられた約１ｍｍないし約３ｍｍの長さのアブレーション部を備えた、ウエブ材料を横切って延びるレーザー刻設されたアブレーションパターンを含む。【選択図】図２
2009161252.tif 000002
【特許請求の範囲】
【請求項１】
縦型の形成、充填およびシール工程によって形成される包装体であって、共にシール部においてシールされる第一縁部および第一縁部に対向する第二縁部を備え、シール部の第一端における第一シール端部およびシール部の第二端における第二シール端部を備えるウエブ材料を含み、第一シール端部および第二シール端部は、第一包装体側縁および第二包装体側縁を画定し、第一包装体側縁および第二包装体側縁は、折り重ねられたウエブ材料を含んでおり、第一縁部および第二縁部間でウエブ材料を横切って延びるアブレーションパターンを含み、アブレーションパターンは、約０．２５ｍｍないし約０．７５ｍｍの長さの非アブレーション部によって隔てられた約１ｍｍないし約３ｍｍの長さの一連のアブレーション部を含んでおり、アブレーションパターンは、包装体を横切る破断線を画定しており、包装体は、第一包装体側縁または第二包装体側縁で使用者により分離する力が適用されると、破断線に沿う線に沿い、シールを横切って、実質的に裂け、ウエブ材料は、実質的に破れることなく、縦型の形成、充填およびシール工程に耐える伸張強度を維持することを特徴とする包装体。
【請求項２】
請求項１の包装体であって、約７５ｍｍないし約２００ｍｍの、第一シール端部から第二シール端部までの長さを有することを特徴とする包装体。
【請求項３】
請求項１の包装体であって、ウエブ材料が少なくとも二層を含むことを特徴とする包装体。
【請求項４】
請求項１の包装体であって、ウエブ材料が、ＰＥＴ（ポリエチレンテレフタレート）およびＯＰＰ（延伸ポリプロピレンフィルム）を含む群のうちの少なくとも一つを含む外層、および、ＰＥＴ、ＯＰＰおよび箔を含む群のうちの少なくとも一つを含む少なくとも第二の層を含むことを特徴とする包装体。
【請求項５】
請求項１の包装体であって、アブレーション部が、包装体の外層の厚さより小さい深さを有することを特徴とする包装体。
【請求項６】
請求項１の包装体であって、アブレーションパターンが非均一であることを特徴とする包装体。
【請求項７】
請求項１の包装体であって、第一包装体側縁、第二包装体側縁およびシール部の縁がアブレーション部を有することを特徴とする包装体。
【請求項８】
請求項１の包装体であって、さらに、第二のアブレーションパターンが、ウエブ材料の対向側面に、実質的にアブレーションパターンに沿って配置されることを特徴とする包装体。
【請求項９】
請求項１の包装体であって、シール部が、フィンタイプシールおよびオーバーラップシールを含む群のうちの少なくとも一つを含むことを特徴とする包装体。
【請求項１０】
包装体の製造方法であって、ウエブ材料の第一縁部と第二縁部との間でウエブ材料を横切ってアブレーションパターンをレーザー刻設し、アブレーションパターンは、約０．２５ｍｍないし約０．７５ｍｍの長さの非アブレーション部によって隔てられた約１ｍｍないし約３ｍｍの長さの一連のアブレーション部を含み、ウエブ材料を、縦型の形成、充填およびシール工程用装置に移送し、ウエブ材料を縦方向にシールして少なくとも一つのシール部を形成し、縦型の形成、充填およびシール工程用装置内にウエブ材料を進め、包装体の第一端で該少なくとも一つのシ-ル部を横切って水平方向にウエブ材料をシールおよび切断し、第一端および第二端の間にアブレーションパターンを備える包装体の第二端を切断することを含むことを特徴とする方法。
【請求項１１】
請求項１０の方法であって、ウエブ材料の第一縁部および第二縁部の間でウエブ材料を横切って延びるアブレーションパターンが、約０．２５ｍｍないし約０．７５ｍｍの長さの非アブレーション部によって隔てられた約１ｍｍないし約３ｍｍの長さの一連のアブレーション部を含んでいる、アブレーションパターンをレーザー刻設する工程が、さらに、包装体の外層の厚さより小さい深さにウエブ材料をアブレートすることを含むことを特徴とする方法。
【請求項１２】
請求項１０の方法であって、ウエブ材料の第一縁部および第二縁部の間でウエブ材料を横切って延びるアブレーションパターンが、約０．２５ｍｍないし約０．７５ｍｍの長さの非アブレート部分によって隔てられた約１ｍｍないし約３ｍｍの長さの一連のアブレート部分を含んでいる、アブレーションパターンをレーザー刻設する工程が、さらに、ウエブ材料の二側面でウエブ材料をアブレートすることを含むことを特徴とする方法。
【請求項１３】
請求項１０の方法であって、ウエブ材料の第一縁部および第二縁部の間でウエブ材料を横切って延びるアブレーションパターンをレーザー刻設する工程が、縦型の形成、充填およびシール工程用装置にウエブ材料を移送する工程の後に行なわれることを特徴とする方法。
【請求項１４】
請求項１０の方法であって、第一位置および第二位置の間にアブレーションパターンを備えて第二位置でウエブ材料を切断する工程が、さらに、約７５ｍｍないし約２００ｍｍの、第一端から第二端までの長さで、ウエブ材料を切断することを含むことを特徴とする方法。
【請求項１５】
請求項１０の方法であって、アブレーションパターンが、非均一であることを特徴とする方法。
【請求項１６】
請求項１０の方法であって、さらに、ウエブ材料の対向側面に実質的にアブレーションパターンに沿って配置される、第二アブレーションパターンをレーザー刻設することを含むことを特徴とする方法。
【請求項１７】
請求項１０の方法であって、縦方向に沿ってウエブ材料をシールし、少なくとも一つのシール部を形成する工程が、ウエブ材料を第二のウエブ材料にシールすることを含むことを特徴とする方法。
【請求項１８】
請求項１７の方法であって、さらに、第二ウエブ材料を横切って延びるアブレーションパターンが、約０．２５ｍｍないし約０．７５ｍｍの長さの非アブレーション部によって隔てられた約１ｍｍないし約３ｍｍの長さの一連のアブレーション部を含む、第二アブレーションパターンをレーザー刻設することを含むことを特徴とする方法。
【請求項１９】
縦型の形成、充填およびシール工程によって形成される包装体であって、第一側縁シールに沿う第一側縁および第二側縁シールに沿う第二側縁で、第二ウエブ材料にシールされる第一ウエブ材料、第一側縁シールおよび第二側縁シールの間で包装体をシールする第一シール端部、第一側縁シールおよび第二側縁シールの間で包装体をシールする第二シール端部、第一側縁および第二側縁の間で少なくとも第一ウエブ材料を横切って延びるアブレーションパターンを含み、アブレーションパターンが、約０．２５ｍｍないし約０．７５ｍｍの長さの非アブレーション部によって隔てられた約１ｍｍないし約３ｍｍの長さの一連のアブレーション部を含んでおり、アブレーションパターンは、包装体を横切る破断線を画定しており、包装体は、第一側縁または第二側縁で使用者により分離する力が適用されると、破断線に沿う線に沿って、第一側縁シールおよび第二側縁シールを横切って、実質的に裂け、ウエブ材料は、実質的に破れることなく、縦型の形成、充填およびシール工程に耐える伸張強度を維持することを特徴とする包装体。
【請求項２０】
請求項１９の包装体であって、さらに、第一側縁および第二側縁の間で第二ウエブ材料を横切って延び、第一ウエブ材料のアブレーションパターンに実質的に一致する第二アブレーションパターンを含むことを特徴とする包装体。
【請求項２１】
請求項１９の包装体であって、包装体が、約７５ｍｍないし約２００ｍｍの、第一シール端部から第二シール端部までの長さを有することを特徴とする包装体。
【請求項２２】
請求項１９の包装体であって、第一ウエブ材料および第二ウエブ材料が、ＰＥＴ（ポリエチレンテレフタレート）およびＯＰＰ（延伸ポリプロピレンフィルム）を含む群のうちの少なくとも一つを含む外層、および、ＰＥＴ、ＯＰＰおよび箔を含む群のうちの少なくとも一つを含む少なくとも第二の層を含むことを特徴とする包装体。
【請求項２３】
請求項１９の包装体であって、アブレーション部が、包装体の外層の厚さよりも小さい深さを有することを特徴とする包装体。
【請求項２４】
請求項１９の包装体であって、アブレーションパターンが非均一であることを特徴とする包装体。
【請求項２５】
請求項１９の包装体であって、第一側縁および第二側縁がアブレーション部を有することを特徴とする包装体。
【発明の詳細な説明】
【技術分野】
【０００１】
本発明は、一般的には、包装、より詳しくは、開封容易な食品包装に関する。
【背景技術】
【０００２】
当該技術分野において、種々の包装方法およびタイプが知られている。商業上の包装体のための考察は、包装体の内容物の保護および包装体の内容物の消費者または使用者による包装体の使い易さを含む。例えば、包装された食品の場合、品目は、一般的に、保存期間を適切化するために包装体に密封される。消費者が生産品を購入する場合、消費者は、その中に保存された品目にアクセスするために包装体を開封しなければならない。しかしながら、密封された包装体を通して品目にアクセスすることは、しばしば、包装体を開封するのに過度の努力を必要とする。
【０００３】
スティックパック包装体のような、ある包装体において、包装体の端部を容易に、かつ完全に除去することは、また、内容物が全て流出されることを可能とするために有利である。例えば、フレーバードリンク生産品のように、包装体の内容物が混合のために溶液に流入されることを意図される場合、包装体は、外部の湿気から内容物を保護するために密封されるが、消費者によって容易に開封されねばならない。そのような包装体は、典型的には、ウエブ材料が折り重ねられてシールされる、縦型の形成、充填およびシール工程によって製造される。このシールされた材料は、第一端で切断およびシールされ、それから包装体内容物を充填される。第二端は、また、それから切断およびシールされ、その中に、包装体内容物を密封する。包装体を開封するために、使用者は、シールを引き離すか、さもなければ、包装体を切断する、または引き裂く必要がある。
【０００４】
種々の態様が、包装体の開封において消費者を支援するために、そのような包装体に付加される。一つの手法によれば、包装体の側面がカットされ、消費者に、包装体の破断の開始点を提供する。この手法は、しかしながら、包装体が、切断部分の周りでシールされることを要求し、それは、付加的な製造資源と努力を必要とする。他の公知の手法によれば、包装体の側縁は、包装体の側部を弱める物理的な微小磨耗工程によって傷つけられ、包装体は、使用者が包装体を開封するために引裂き力を適用するとき、縁部でより容易に裂ける。この手法および上述の切断手法においては、しかしながら、包装体は、包装材料に自然に存在する弱い領域に沿って単に裂け、裂け目は、包装体に沿って真っ直ぐに伝播しない。さらに、裂け目は、典型的に、使用者により適用される過度の付加的な力がないと、包装体の全長にわたるシール部で停止する。
【０００５】
包装体の開封を支援するもう一つの公知方法は、一定の線に沿って包装材料を弱めることを含み、引き裂きは、包装体の開封時にその線に沿って伝播する可能性が高い。一つのそのような方法は、レーザーで包装材料をアブレートすることを含む。レーザーは、包装材料を完全に切断することなく材料を横切る線に沿って包装材料に傷を与える。このことは、使用者が包装体を引き裂くとき、包装体が、レーザーにより傷つけられた部分に沿って裂ける可能性をより高くする。包装体がレーザーにより包装体を横切って幅広く刻設されるときは、しかしながら、包装体は、しばしば、弱められ、製造工程中または包装体が開封されようとする前の使用者による通常の取り扱い中に、無傷でいられない。
【発明の概要】
【発明が解決しようとする課題】
【０００６】
土または類似の相当重い材料の袋のような、荷重運搬用包装体に、付加的な強度を提供するため、包装材料にパターンをレーザー刻設することが知られている。従来の開示は、そのような適用のための破断線に沿った、レーザー刻設材料の、非刻設材料に対する長さの比が、およそ１対２であることを教示しており、換言すると、レーザーは、各々の刻設部の間の、中間にある非刻設材料の長さのおよそ半分の線を刻設する。刻設部に対する非刻設部の増大した量を有することは、そのような荷重運搬袋の増大した材料強度を与えるが、小さな食品包装体にとっては、そのようなレーザー刻設の比は、典型的に、包装体を横切る、きれいな、連続して真っ直ぐな破断線を十分に伴っておらず、または、包装体およびシール縁に存在するレーザー刻設が、引き裂きの開始および包装体シールを横切る引裂きの伝播の増大した容易性を提供することを確実にしない。
【０００７】
上述の要求は、以下の詳細な説明中で説明される、レーザー刻設包装の方法および装置の提供によって、特に、図面と併せて検討されると、少なくとも部分的には満たされる。
【課題を解決するための手段】
【０００８】
一般的に言って、これら種々の具体例に従って、縦型の形成、充填およびシール工程によって形成される包装体は、縦型スリーブを形成するためにシールされる縁部を備えるウエブ材料を含む。ウエブ材料は、また、シールされた包装体を形成するために縦型スリーブのいずれかの端部に、第一シール端部および第二シール端部を含む。包装体は、約０．２５ｍｍから約０．７５ｍｍの長さの非アブレーション部によって隔てられた、約１ｍｍから約３ｍｍの長さを有するアブレーション部を備える、ウエブ材料を横切って延びる、レーザースクライブされたアブレーションパターンを含む。
【０００９】
そのように形成されると、包装体は、使用者が包装体のアブレーションパターンにそって開封するシールされた容器を提供する。包装体は、飲料用粉末、デザート用粉末、おやつ用ナッツ、調味料、およびトッピングのような、他の容器に、または消費者の口に直接注がれる食品を含む。レーザーアブレーションパターンは、約１ｍｍから約３ｍｍの破線状の刻設長さと、刻設間の約０．２５ｍｍから約０．７５ｍｍのスペースを有し、従来の縦型の形成、充填およびシール工程中における破れを避けるために増大した伸張強度を備えたウエブ材料を提供するが、また、包装体の外方縁が、使用者に包装体を開封するための開始が容易な引裂き領域を提供するためのアブレーション部を含むという高い可能性を提供する。同様に、このパターンは、垂直シールの縁部がアブレーション部を有し、包装体の破断がシールを横切ってより容易に伝播する高い可能性を提供する。また、アブレーション部間の狭いスペースは、破断がアブレーションパターンに沿う線で、包装体を横切って幅広く伝播する可能性を増大させ、その結果、包装体の端部は、相当容易に、かつ完全に除去され、包装体の内容物への制限されないアクセスを可能にする。
【００１０】
換言すると、アブレーションパターンとしてのより長い破線または連続線は、過度にウエブ材料を弱め、より短い破線は、ウエブ材料を開封するのをより困難にする。アブレーション部間のより長いスペースは、引裂きが破断線から外れて移動するのを許す可能性があり、アブレーション部間のより短いスペースは、実線の刻設に似るため伸張強度を減少する。そのようなものとして、この開示の教示に従った破線パターンは、そのような包装体のための好ましい特徴の組み合わせを提供する。
【図面の簡単な説明】
【００１１】
【図１】本発明の種々の具体例に従って構成される包装体を作成するのに用いるウエブ材料の平面図である。
【図２】本発明の種々の具体例に従って構成される包装体の底面図である。
【図３】本発明の種々の具体例に従って構成される包装体の一部の平面図である。
【図４】使用者によって包装体の縁に引裂き力が適用されたときの図３の包装体の一部の平面図である。
【図５】完全に除去されて内容物が全て空にされる端部を備えた本発明の種々の具体例に従って構成される包装体の側面図である。
【図６】本発明の種々の具体例に従って構成される三層のウエブ材料の斜視図である。
【図７】本発明の種々の具体例に従って構成されるアブレーションパターンに沿う断面に沿った三層のウエブ材料の正面図である。
【図８】本発明の種々の具体例に従って構成される二層のウエブ材料の斜視図である。
【図９】本発明の種々の具体例に従って構成されるアブレーションパターンに沿う断面に沿った二層のウエブ材料の正面図である。
【図１０】本発明の種々の具体例に従って構成されるフィンタイプシールを有する包装体に形成されるウエブ材料の斜視図である。
【図１１】本発明の種々の具体例に従って構成されるフィンタイプシールを有する包装体の斜視図である。
【図１２】本発明の種々の具体例に従って構成されるオーバーラップシールを有する包装体に形成されるウエブ材料の斜視図である。
【図１３】本発明の種々の具体例に従って構成されるオーバーラップシールを有する包装体の斜視図である。
【図１４】本発明の種々の具体例に従って構成される二枚のウエブ材料を有する包装体の斜視図である。
【図１５】図１４の包装体のＺ−Ｚ線に沿った断面図である。
【図１６】縦型の形成、充填およびシール装置の要素の斜視図である。
【図１７】引裂き力についての試験結果を示す図である。
【図１８】伸張強度についての試験結果を示す表である。
【発明を実施するための形態】
【００１２】
当業者は、図における要素が、単純化および明瞭化のために描かれ、必ずしも寸法に描かれていないことを理解する。例えば、図におけるいくつかの要素の寸法および／または相対的な位置は、本発明の種々の具体例の理解の改善を手助けするために、他の要素に対して誇張されている。また、商業的に実行可能な具体例に役立つかまたは必要である、一般のしかし良く理解されている要素は、本発明のこれら種々の具体例の妨げられない参照を確実にするために、しばしば、描かれない。さらに、当業者は順序に関する特異性が実際に要求されないことを理解するけれども、ある動作および／または工程は、発生の特定の順序で記載されまたは描かれることが理解される。また、ここにおいて使用される用語および表現は、異なる特別の意味がさもなければここにおいて説明される場合を除き、上述の技術分野の当業者による用語および表現と一致する。
【００１３】
これらのおよび他の利点は、以下の詳細な説明の完全な検討および研究を行なうことによってより明らかとなる。続いて、図面を参照すると、特に、図１および図２において、多くのこれらの教示と両立する例示の包装体が次に説明される。縦型の形成、充填およびシール工程によって形成される包装体１０は、シール部１８において共にシールされる第一縁部１４および第一縁部１４に対向する第二縁部１６を有するウエブ材料１２を含む。包装体１０は、シール部１６の第一端２２に第一シール端２０を、シール部１６の第二端に第二シール端２４を含む。上述のどのシールも、例えば、積層シールを形成するための熱および圧力の適用を含む、従来方法によって作成される。これらのシールによって、包装体１０の内容物は、内容物の品質に影響を与える水分および／または酸素のような外部要素から保護される。
【００１４】
第一シール端部２０および第二シール端部２４は、第一包装体側縁部２８および第二包装体側縁部３０を画定しており、第一包装体側縁部２８および第二包装体側縁部３０は、シール端部２０および２４の縁によって、それらの間に形成された、折り重ねられたウエブ材料である。折られたウエブ材料は、折れ線１５および１７に沿って折れ、使用者にとっての側縁をよく画定し、包装体１０の前面から背面に移行する丸みのある部分である。
【００１５】
引き続いて、図１、図２および図３を参照すると、包装体１０は、また、第一縁部１４および第二縁部１６の間のウエブ材料を横切って延びるアブレーションパターン３２を含む。アブレーションパターン３２は、約０．２５ないし約０．７５ｍｍの長さの非アブレーション部３６（例えば、図６に線３７で示される）によって隔てられた、一連の、約１ないし約３ｍｍの長さのアブレーション部（例えば、図６に線３５で示される）を含み、アブレーションパターン３２は、包装体１０を横切る破断線３９を画定する。
【００１６】
そのようなアブレーションパターンでもって、使用者によって、図３および図４に示された第一包装体側縁部２８または第二包装体側縁部３０に分離する力が加えられたときに、包装体１０は、実質的に、破断線３９から逸脱することなくシール１８を横切り破断線３９に沿う線に沿って裂ける。ここに教示されるアブレーション部の長さおよび非アブレーション部の長さの範囲は、また、第一包装体側縁部２８、第二包装体側縁部３０およびシール部１８の縁部２９がアブレーション部を有するという可能性を増大させ、それにより、包装体１０が、使用者によって加えられる破断力の実質的な増加なしに、破断を開始し、シール１８を通って破断を続行する容易性を改良する。そのように構成されているので、使用者は、図５に示されるように、全ての包装体の端部をより容易に除去して包装体の内容物を排出する。さらに、ウエブ材料１２は、非アブレーション部３６によって十分な伸張強度を維持し、実質的に破れることなく、縦型の形成、充填およびシール工程に耐える。
【００１７】
図６ないし図９を参照して、ウエブ材料１２およびアブレーションパターン３２がさらに説明される。ウエブ材料１２は、典型的には少なくとも２層を含むが、１またはそれ以上の材料層を含む。複数層のウエブ材料１２は、ＰＥＴ（ポリエチレンテレフタレート）およびＯＰＰ（延伸ポリプロピレンフィルム）を含む群のうちの少なくとも一つから成っている、少なくとも外層４０を含む。外層４０は、ブランドおよび生産物情報を含む。第二層４２は、ＰＥＴ、ＯＰＰおよび箔を含む群のうちの少なくとも一つを含み、典型的には、二層構造のためのシーリング材を含む。任意の第三層４４は、シーリング材層として機能し、典型的には、主として、ＰＥ（ポリエチレン）または包装体の内容物１１との接触に適切な他の材料を含み、遮蔽層として作用する第二層とともに、当該技術分野において一般的に知られているような適切なシール特性を提供する。一またはそれ以上の層のいずれも、また、金属化され、包装体の内容物１１の保護を増大する。
【００１８】
アブレーション部３４は、縦型の形成、充填およびシール工程中にスクライブされるけれども、典型的には、アブレーション部３４は、ウエブ材料１２の製造中に、縦型の形成、充填およびシール加工工程に先立って、炭酸ガスレーザーによってスクライブされる。アブレーション部３４を形成するために他のタイプのレーザーが使用される。
【００１９】
レーザースクライビングのための典型的な手法において、図７及び図９に示されるように、アブレーション部分３４は、包装体１０の外層４０の厚みより小さい深さを有する。この深さは、包装体シールの完全性およびウエブ材料１２の強度を維持する。アブレーションパターン３２は、一般的に、均一パターンとしてここに示されるけれども、ここに教示された、アブレーションおよび非アブレーション部分のための長さ範囲内で、非均一パターン５０を有する。
【００２０】
他の手法によって、第二のアブレーションパターン４８が、第一のアブレーションパターン３２に対向して、および、実質的に整列して、ウエブ材料側面４６に配置される。加えて、レーザー刻設配置に対する種々の手法が可能であり、例えば、包装体１０の外部の一本のアブレーションパターン、包装体１０の内部の単一のアブレーションパターン、包装体１０の外側および内側部の実質的に互いに整列するそれぞれ一本のアブレーションパターン、包装体の内側および／または外側部の二本のアブレーションパターンおよびその他を含む。
【００２１】
図１０ないし図１３を参照すると、ウエブ材料１２の第二縁部１６への第一縁部１４のシール１８は、当該技術分野で知られている任意のタイプを含むが、典型的には、フィンタイプシール５２およびオーバーラップシール６２を含む。そのようなシールは当該技術分野において知られているが、主として明確化のために説明される。図１０および図１１を参照して、フィンタイプシール５２は、第一縁部１４および第二縁部１６の内部４６同士が接触するようにウエブ材料１２を折ることによって形成される。これらの縁部は、一緒にシールされ、包装体１０に向って折られ、その結果、「フィン」を形成する。アブレーションパターン３２がウエブ材料１２の全体を横切って延びるときに、アブレーションパターン３２は、フィンタイプシール５２を横切って弱め線を形成し、それによって、シールをより容易に裂かれるようにする。アブレーションパターン３２が、この開示の教示に従って形成されるとき、アブレーション部分３４は、より好ましくは、フィンタイプシール５２の縁部２９に位置され、破断の伝播がシール５２を横切って継続することを手助けする。
【００２２】
図１２および図１３を参照して、オーバーラップシール６２は、第一縁部１４および第二縁部１６のいずれか一方が他方に重なるようにウエブ材料１２を折りたたむことによって形成される。例えば、図１２は、第一縁部１４が第二縁部１６と重なっていることを示す。これらの縁部はそれから一緒にシールされ、フィンタイプシール５２のように折られる部分の必要性をなくす。アブレーションパターン３２がウエブ材料１２の全体を横切って延びるときに、アブレーションパターン３２は、オーバーラップシール６２を横切って弱め線を形成し、それによって、シールをより容易に裂かれるようにする。アブレーションパターン３２が、この開示の教示に従って形成されるとき、アブレーション部分３４は、より好ましくは、フィンタイプシール６２の縁部２９に位置され、破断の伝播がシール６２を横切って継続することを手助けする。
【００２３】
異なった手法によって、および、図１４および図１５を参照して、包装体１００は、内部スペース１０５を画定するために一緒にシールされる二つのウエブ材料１０２および１０４を含む。一つの方法によって、第一ウエブ材料１０２は、第二ウエブ材料１０４に、第一側縁シール１２８に沿う第一側縁１１４および第二側縁シール１３０に沿う第二側縁１１６でシールされる。包装体１００は、また、第一側縁シール１２８および第二側縁シール１３０の間で包装体１００をシールする第一シール端部１２０および第二シール端部１２４を含む。上述のアブレーションパターン３２は、第一側縁１１４および第二側縁１１６の間で少なくとも第一ウエブ材料１０２を横切って延びており、アブレーションパターン３２は、包装体１００を横切って破断線３９を画定する。第一側縁シール１１４および第二側縁シール１１６がアブレーション部分３４を有することの高い可能性を有するように形成されるので、使用者によって、第一側縁１１４または第二側縁１１６に、分離する力が加えられたときに、包装体１００は、実質的に、破断線３９に沿う線に沿って、および、第一側縁シール１２８および第二側縁シール１３０を横切って破断する。ウエブ材料１０２および１０４は、また、十分な伸張強度を維持し、実質的に破れることなく、縦型の形成、充填およびシール工程に耐える。
【００２４】
第一側縁１１４および第二側縁１１６間で、第一ウエブ材料１０２のアブレーションパターン３２と実質的に整列する、第二ウエブ材料１０４を横切って延びる第二アブレーションパターン１３２を有することが可能である。他のアブレーションパターンの形成が可能であり、本開示の範囲内に考慮される。
【００２５】
図１６を参照して、本開示の教示に従う包装体１０の製造方法が説明される。方法は、ウエブ材料１２の第一縁部１４および第二縁部１６の間で、ウエブ材料１２を横切るアブレーションパターン３２を刻設するレーザーを含み、および、（参照番号２１０で概略的に示されるように）縦型の形成、充填およびシール工程用装置２００にウエブ材料１２を送る。図１６に現されるようにアブレーションパターン３２は、ウエブ材料１２の製造中に、縦型の形成、充填およびシール工程用装置２００に送る前に、レーザー刻設される。他の手法によって、レーザーは、縦型の形成、充填およびシール工程用装置２００に組み込まれ、アブレーションパターン３２は、ウエブ材料１２を縦型の形成、充填およびシール工程用装置２００に送った後に加えられる。さらに別の手法によって、レーザー刻設は、ウエブ材料１２の二側面で、および、材料のいずれかの側面のアブレーションパターンと実質的に整列して、ウエブ材料１２をアブレートする。ウエブ材料１２は、それから、少なくとも一つのシール１８を形成するために垂直方向に沿ってシールされ、縦型の形成、充填およびシール工程用装置２００内に進められる。ウエブ材料１２は、包装体１０の第一端部２２で少なくとも一つのシール１８を横切って水平にシールされ、切断される。ウエブ材料は、それから、第一端部２２および第二端部２６の間にアブレーションパターンを備えるように、包装体１０の第二端部２６で切断される。典型的に、第二切断は、第一端部２２から第二端部２６までの長さが約７５ないし約２００ｍｍであるようにウエブ材料１２を切断する。
【００２６】
図１６に現された縦型の形成、充填およびシール工程用装置２００は、フィンタイプシールを形成するように設計されているが、上述の方法は、例えば、オーバーラップシール包装体および二重のウエブ材料の包装体を含む、ここに記載された任意の他の包装体に適用される。例えば、シールを形成するための垂直方向に沿ったウエブ材料のシール工程は、ウエブ材料１２を第二のウエブ材料にシールすることを含む。この実施例では、ウエブ材料の垂直側縁の二つの垂直シールが、この工程において形成される。同様に、第二ウエブ材料は、第二アブレーションパターンでレーザー刻設される。レーザー刻設パターンおよびシール方法の他の変形例が、当業者によって認識される。
【００２７】
そのように構成されているので、そのような方法によって形成され、およびここに記載された包装体は、消費者がかなり小さいウエブベースの包装体を開封し易くするために提供されている以前の方法と比較して、包装体を開封するための開始の相対的な容易性を提供する。さらに、切断は、切断線に沿ってより確実に伝播し、包装体の垂直シールを越えて容易に伝播する。例えば、典型的なフィンタイプシールの包装体を通して切断を伝播させる間に適用される切断力を比較するための試験が実施された。試験は次のように実施された。レーザー刻設パターンを備える包装体は、使用者の回転する手首の動作を模すために、テープ状の引張り具に取り付けられた。刻設線下方の包装体の部分は試験装置にしっかりと固定され、他方、刻設線の上方に固定された伸張テープは、切断試験機のジョーに固定された。試験装置は、Ｖｉｎａｔｏｒｕ社のシール強度試験機であった。試験機のジョーは、包装体の対向側からテープを引っ張り、３０度の角度で上方に、包装体の頂部を横切って進んだ。試験機のジョーは、力変換機に取り付けられ、規則的な間隔で、瞬間の力が記録された。
【００２８】
図１７は、試験結果を示す。ここに説明されるレーザースクライブされた破線のアブレーションパターン（「破線」と名づけられる）は、包装体に対して、ウエブ材料における連続するレーザー刻設線（「連続」と名づけられる）とほぼ同じ力、または、開封の容易性でもって開封するのを可能にする。両方のレーザー刻設された包装体は、刻み目が入れられた手法（「刻み目  縁／フィン」と名づけられる）および微小磨耗による手法（包装体のＦＡＮＣＹ  ＣＵＴ（登録商標）に対して「ファンシーカット」と名づけられる）より実質的により小さい開封力を必要とする。
【００２９】
図１８の表に明示されるように、しかしながら、破線のアブレーションパターンは、連続する刻設線を有する包装体より一貫して改良された伸張強度を有する。図１８に示されたデータは、Ｉｎｓｔｒｏｎ社の試験機を用いて包装体の伸張強度を計測することによって収集された。データは、アブレーションパターンが、図１７に示されるように、ほぼ同じの開封力を有する一方で、縦型の形成、充填およびシール工程でより破れそうにないため、連続する刻設線より十分に改良された伸張強度を有することを明示している。
【００３０】
当業者は、本発明の精神および範囲から逸脱することなく、上述の具体例に関して幅広い種々の変更、置換および組み合わせがなされることを認識する。例えば、ここに示された多くの実施例は、特定の、はっきりした縁部を備えた、一般的に四角形状の包装体に関する。他の卵形または丸い包装体の形状が可能である。また、包装体に複数の破断線を設けるために、複数の刻設線の任意の変更が提供される。そのような変更、置換および組み合わせは、発明の概念の範囲内であるとして見られるべきである。
【図１】
2009161252.tif 000003
【図２】
2009161252.tif 000004
【図３】
2009161252.tif 000005
【図４】
2009161252.tif 000006
【図５】
2009161252.tif 000007
【図６】
2009161252.tif 000008
【図７】
2009161252.tif 000009
【図８】
2009161252.tif 000010
【図９】
2009161252.tif 000011
【図１０】
2009161252.tif 000012
【図１１】
2009161252.tif 000013
【図１２】
2009161252.tif 000014
【図１３】
2009161252.tif 000015
【図１４】
2009161252.tif 000016
【図１５】
2009161252.tif 000017
【図１６】
2009161252.tif 000018
【図１７】
2009161252.tif 000019
【図１８】
2009161252.tif 000020
【外国語明細書】
2009161252000001.pdf